(57)【要約】【課題】遊技球を自重によって落下させながらも、遊技球の動きに変化をつける。【解決手段】（Ａ）に示すように、第１滞留面２０ａ上のパチンコ球が第１誘導路２０ｂに流下すると、このパチンコ球は第１誘導路２０ｂの傾斜に沿って前方に流下する。（Ｂ）に示すように、第１誘導路２０ｂを流下するパチンコ球は第１扉２９を押圧する。パチンコ球によって押された第１扉２９は開き位置に向けて揺動を開始する。（Ｃ）に示すように、第１扉２９が開き位置まで揺動すると第１誘導路２０ｂの前縁から落下したパチンコ球が案内板４０の傾斜面４０ａ上に落下する。【選択図】        図６
2006167290.tif 000002
【特許請求の範囲】
【請求項１】
遊技球を転動させながら滞留させる滞留面と、前記滞留面に設けられ、奥側から手前側に傾斜した誘導路とを有するステージを備え、前記誘導路に流入した遊技球を前記誘導路の前縁からステージ下方に落下させる弾球遊技機において、
前記誘導路の前縁から遊技球が落下したときに、その落下経路に変化を与える落下経路変更手段を設け、
前記落下経路変更手段は、
略垂直な軸を中心に揺動自在に支持され、前記誘導路の前縁を上縁が遮る閉じ位置と誘導路の前縁を上縁が開放する開き位置との間で揺動自在な扉と、
前記誘導路を流下する遊技球によって前記扉の上縁が押されていない状態では、前記閉じ位置で保持されるように前記扉を付勢するとともに、前記誘導路を流下する遊技球によって前記扉の上縁が押されたときには、前記扉が前記閉じ位置から前記開き位置に揺動することを許容する付勢部材と、
前記扉の背面に固着され、前記扉が前記開き位置に移動したときに遊技球の落下経路に進入して前記誘導路の前縁から落下した遊技球を側方に案内する案内板とを備えたことを特徴とする弾球遊技機。
【請求項２】
前記案内板は前記軸から離れるにしたがって高さが漸減する傾斜面を有し、前記誘導路の前縁から落下した遊技球を前記傾斜面で流下させることを特徴とする請求項１記載の弾球遊技機。
【請求項３】
前記軸に関して前記扉とは逆側で垂直下方に延びた受動ロッドを前記扉と一体に設け、
前記付勢部材を前記ステージの下方に設けられた付勢レバーで構成し、
前記付勢レバーの一端に重りを固着するとともに、その他端を前記受動ロッドに側方から当接させ、前記重りによる付勢力によって前記扉を前記閉じ位置に保持させることを特徴とする請求項１又は２記載の弾球遊技機。
【請求項４】
前記付勢レバーの前記他端で、前記受動ロッドの側面に当接する部分を円弧状に屈曲させたことを特徴とする請求項３記載の弾球遊技機。
【請求項５】
前記滞留面から遊技球が落下する際の障壁を前記滞留面の前縁から上方に突出させ、前記障壁を垂直下方に延ばして前記ステージの前面壁を形成するとともに、前記前面壁に開口を形成し、前記開口は前記閉じ位置にある前記扉によって覆われ、かつ前記扉が前記開き位置に移動したときに前記案内板が前記開口を通して前記誘導路の前縁の下方に突出することを特徴とする請求項１ないし４のいずれかに記載の弾球遊技機。
【請求項６】
前記滞留面を両端側が中央部よりも高い左右対称の湾曲面で構成し、前記中央部とそれぞれの両端側との間のゆるやかな凹部のそれぞれに前記誘導路を形成するとともに、各々の誘導路ごとに前記落下経路変更手段を設け、これらの前記落下経路変更手段の各々の案内板は、遊技球を互いに左右逆方向に案内することを特徴とする請求項１ないし５のいずれかに記載の弾球遊技機。
【請求項７】
前記滞留面の中央部に奥側から手前側に傾斜した第２の誘導路を形成し、始動入賞口の上方に遊技球を導く球通路に前記第２の誘導路の前縁から落下した遊技球を流下させる第２落下経路変更手段を備えたことを特徴とする請求項１ないし６のいずれかに記載の弾球遊技機。
【請求項８】
前記ステージを互いにその高さが異なるように階段状に形成し、前記案内板から落下した遊技球が下段の前記ステージに落下することを特徴とする請求項１ないし７のいずれかに記載の弾球遊技機。
【発明の詳細な説明】
【技術分野】
【０００１】
本発明は、遊技球を使用して遊技が行われる弾球遊技機に関するものである。
【背景技術】
【０００２】
本明細書中では弾球遊技機の一例としてパチンコ機を例に挙げて説明しているため、遊技に用いる遊技球としてパチンコ球を用いて説明するが、遊技球としてはパチンコ球以外の他の態様の球も含む。また、遊技盤の入賞口にパチンコ球が入ることを入賞とする。
【０００３】
最近のパチンコ機の殆どでは、当たり又はハズレを決定する当たり抽選の抽選結果が図柄表示装置によって表示される。そして、図柄表示装置を有するパチンコ機には、遊技盤の遊技領域に打ち出されたパチンコ球を転動させながら滞留させる滞留面を備えたステージが設けられている。一般に、ステージの下方には始動入賞口が設けられており、滞留面を転動するパチンコ球が始動入賞口に入賞しやすくなるように滞留面には傾斜がつけられている。始動入賞口で入賞が発生すると図柄表示装置が作動されるため、ステージを有するパチンコ機では滞留面のパチンコ球の動きに興味を惹きつけ、遊技に緊張感を付与することができる。しかし、単に、ステージを１つ設けただけでは、滞留面を転動するパチンコ球の動きが乏しく、遊技が単調になってしまうことがある。このため、近年、例えば互いの高さが異なるようにステージを階段状の２段構成にする、あるいは、磁石によってパチンコ球を一定の位置まで移動させる電動の可動物を設けるなど、滞留面を転動するパチンコ球の動きに遊技者の興味を惹きつけるために様々な工夫がなされたパチンコ機が提供される傾向にある。
【発明の開示】
【発明が解決しようとする課題】
【０００４】
しかしながら、ステージを２段構成にしたものでは、パチンコ球は単に上段のステージから下段のステージに落下するだけであるので、ステージを２段構成にするという独特の構成のわりには、パチンコ球の動きが乏しかった。また、近年、図柄表示装置が大型化されているため、ステージを２段構成にしてもその高さを十分に高くすることができず、パチンコ球の動きを多彩にすることが困難となっていた。さらには、電動の可動物を設けたものでは、例えば停電などによってパチンコ機の電源が遮断されてしまうと、パチンコ球が滞留面で停滞してしまいパチンコ球が詰まってしまうことがあった。
【０００５】
本発明は、上記課題を解決するためになされたもので、遊技球を自重によって落下させながらも、遊技球の動きに変化をつけることができるようにした弾球遊技機を提供することを目的とする。
【課題を解決するための手段】
【０００６】
上記目的を達成するために、本発明の弾球遊技機は、遊技球を転動させながら滞留させる滞留面と、前記滞留面に設けられ、奥側から手前側に傾斜した誘導路とを有するステージを備え、前記誘導路に流入した遊技球を前記誘導路の前縁からステージ下方に落下させる弾球遊技機において、前記誘導路の前縁から遊技球が落下したときに、その落下経路に変化を与える落下経路変更手段を設け、前記落下経路変更手段は、略垂直な軸を中心に揺動自在に支持され、前記誘導路の前縁を上縁が遮る閉じ位置と誘導路の前縁を上縁が開放する開き位置との間で揺動自在な扉と、前記誘導路を流下する遊技球によって前記扉の上縁が押されていない状態では、前記閉じ位置で保持されるように前記扉を付勢するとともに、前記誘導路を流下する遊技球によって前記扉の上縁が押されたときには、前記扉が前記閉じ位置から前記開き位置に揺動することを許容する付勢部材と、前記扉の背面に固着され、前記扉が前記開き位置に移動したときに遊技球の落下経路に進入して前記誘導路の前縁から落下した遊技球を側方に案内する案内板とを備えたものである。
【０００７】
なお、扉を揺動自在に支持する略垂直な軸の「略垂直」とは、扉を閉じ位置と開き位置との間で揺動させることができる範囲を示す。
【０００８】
また、前記案内板は前記軸から離れるにしたがって高さが漸減する誘導路を有し、前記誘導路の前縁から落下した遊技球を前記誘導路で流下させることが好ましい。
【０００９】
また、前記軸に関して前記扉とは逆側で垂直下方に延びた受動ロッドを前記扉と一体に設け、前記付勢部材を前記ステージの下方に設けられた付勢レバーで構成し、前記付勢レバーの一端に重りを固着するとともに、その他端を前記受動ロッドに側方から当接させ、前記重りによる付勢力によって前記扉を前記閉じ位置に保持させることが好ましい。
【００１０】
また、前記付勢レバーの前記他端で、前記受動ロッドの側面に当接する部分を円弧状に屈曲させることが好ましい。
【００１１】
また、前記滞留面から遊技球が落下する際の障壁を前記滞留面の前縁から上方に突出させ、前記障壁を垂直下方に延ばして前記ステージの前面壁を形成するとともに、前記前面壁に開口を形成し、前記開口は前記閉じ位置にある前記扉によって覆われ、かつ前記扉が前記開き位置に移動したときに前記案内板が前記開口を通して前記誘導路の前縁の下方に突出することが好ましい。このため、前記傾斜面は、前記扉の前記開き位置への移動にともなってその高さが漸減するように開口から突出する。
【００１２】
また、前記滞留面を両端側が中央部よりも高い左右対称の湾曲面で構成し、前記中央部とそれぞれの両端側との間のゆるやかな凹部のそれぞれに前記誘導路を形成するとともに、各々の誘導路ごとに前記落下経路変更手段を設け、これらの前記落下経路変更手段の各々の案内板は、遊技球を互いに左右逆方向に案内することが好ましい。
【００１３】
なお、「ゆるやか」とは、滞留面を転動する遊技球が凹部で停滞することなく、凹部から中央部に流下することが可能な程度を示す。
【００１４】
また、前記滞留面の中央部に奥側から手前側に傾斜した第２の誘導路を形成し、始動入賞口の上方に遊技球を導く球通路に前記第２の誘導路の前縁から落下した遊技球を流下させる第２落下経路変更手段を備えることが好ましい。
【００１５】
また、前記ステージを互いにその高さが異なるように階段状に形成し、前記案内板から落下した遊技球が下段の前記ステージに落下することが好ましい。
【発明の効果】
【００１６】
本発明によれば、ステージが有する誘導路の前縁から遊技球が落下したときに遊技球を側方に案内する落下変更手段を設けたので、遊技球を段階的に落下させることが可能になり、遊技球を自重によって落下させながらも、遊技球の動きに変化をつけることができる。
【００１７】
また、誘導路の前縁から落下した遊技球を側方に案内する案内板は軸から離れるにしたがって高さが漸減する誘導路を有し、誘導路の前縁から落下した遊技球を誘導路で流下させるので、案内板上の遊技球をスムーズに流下させることが可能になり、遊技球が扉とステージとの間で遊技球が詰まることを防止できる。
【００１８】
また、前記軸に関して前記扉とは逆側で垂直下方に延びた受動ロッドを前記扉と一体に設け、前記付勢部材を前記ステージの下方に設けられた付勢レバーで構成し、前記付勢レバーの一端に重りを固着するとともに、その他端を前記受動ロッドに側方から当接させ、前記重りによる付勢力によって前記扉を前記閉じ位置に保持させるので、付勢部材の耐久性を向上させることが可能になり、弾球遊技機のランニングコストを低減することができる。
【００１９】
また、前記付勢レバーの前記他端で、前記受動ロッドの側面に当接する部分を円弧状に屈曲させたので、付勢レバーと受動ロッドの動作をスムーズに行わせることが可能になり、遊技球が扉とステージとの間で遊技球が詰まることを防止できる。
【００２０】
また、前記滞留面から遊技球が落下する際の障壁を前記滞留面の前縁から上方に突出させ、前記障壁を垂直下方に延ばして前記ステージの前面壁を形成するとともに、前記前面壁に開口を形成し、前記開口は前記閉じ位置にある前記扉によって覆われ、かつ前記扉が前記開き位置に移動したときに前記案内板が前記開口を通して前記誘導路の前縁の下方に突出するので、落下経路変更手段を設置するスペースを小さくすることが可能になり、遊技盤の遊技領域を効率良く使用することができる。
【００２１】
また、前記滞留面を両端側が中央部よりも高い左右対称の湾曲面で構成し、前記中央部とそれぞれの両端側との間のゆるやかな凹部のそれぞれに前記誘導路を形成するとともに、各々の誘導路ごとに前記落下経路変更手段を設け、これらの前記落下経路変更手段の各々の案内板は、遊技球を互いに左右逆方向に案内するので、遊技球の動きを多彩にすることが可能になり、遊技者の遊技球の動きへの興味を惹きつけることができる。
【００２２】
また、前記滞留面の中央部に奥側から手前側に傾斜した第２の誘導路を形成し、始動入賞口の上方に遊技球を導く球通路に前記第２の誘導路の前縁から落下した遊技球を流下させる第２落下経路変更手段を備えたので、第２の誘導路の遊技球に遊技者の興味を惹くことができ、滞留面上の遊技球の動きに興味を惹きつけることができる。
【００２３】
また、前記ステージを互いにその高さが異なるように階段状に形成し、前記案内板から落下した遊技球が下段の前記ステージに落下するので、遊技球をさらに段階的に落下させることができ、遊技球の動きを多彩にできる。この場合、ステージ全体の高さを抑えることが可能になり、図柄表示装置の大型化に対応できる。
【発明を実施するための最良の形態】
【００２４】
図１に示すように、パチンコ機１０の下方には発射ハンドル１０ａが設けられている。発射ハンドル１０ａが操作されると、遊技盤１１の前面側の遊技領域にパチンコ球が打ち出される。遊技盤１１には図柄表示装置１２が組み込まれている。遊技盤１１の前面には、始動入賞口１３、通常入賞口１４、通過入賞口１４ａ、アタッカ１５、アウト口１６などが設けられており、打ち出されたパチンコ球はいずれかに入る。始動入賞口１３にパチンコ球が入賞すると図柄表示装置１２で図柄の変動表示が行われて当たり又はハズレが表示される。図柄表示装置１２の下方で始動入賞口１３の上方にはステージ１７が設けられている。
【００２５】
図２に示すように、ステージ１７は、互いに高さが異なるように階段状に配置された第１ステージ２０及び第２ステージ２１の２段構成になっており、第１ステージ２０が上方で第２ステージ２１が下方に配置されている。
【００２６】
第１ステージ２０の上面は第１滞留面（滞留面）２０ａ、第２ステージ２１の上面には第２滞留面（滞留面）２１ａとなっている。第１滞留面２０ａ及び第２滞留面２１ａは、落下したパチンコ球を転動させながら滞留させる。第１滞留面２０ａ及び第２滞留面２１ａは両端側が中央部よりも高い左右対称の湾曲面になっている。
【００２７】
第１滞留面２０ａの中央部とそれぞれの両端側との間のゆるやかな凹部には、奥側から手前側に傾斜した第１誘導路（誘導路）２０ｂ，２０ｃが形成されている。前述した凹部は第１滞留面２０ａ及び第２滞留面２１ａに落下したパチンコ球がその勢いで中央部と両端側とを行き来できる程度のゆるやかさとなっている。また、第１滞留面２０ａの中央部には奥側から手前側に傾斜した第２誘導路（第２の誘導路）２０ｄが形成されている。第１誘導路２０ｂ，２０ｃ及び第２誘導路２０ｄには傾斜がつけられているため、第１誘導路２０ｂ，２０ｃ及び第２誘導路２０ｄに流下したパチンコ球はそれぞれの前縁から下方に落下する。第１誘導路２０ｂ，２０ｃ及び第２誘導路２０ｄは、奥側から手前側にその幅が次第に広がる弓形形状に形成されている。
【００２８】
第２滞留面２１ａの中央部とそれぞれの両端側との間のゆるやかな凹部には奥側から手前側に傾斜した第１誘導路２１ｂ，２１ｃ、第２滞留面２１ａの中央部には奥側から手前側に傾斜した第２誘導路２１ｄが形成されている。第１誘導路２１ｂ，２１ｃ及び第２誘導路２１ｄには傾斜がつけられているため、第１誘導路２１ｂ，２１ｃ及び第２誘導路２１ｄに流下したパチンコ球はそれぞれの前縁から下方に落下する。第１誘導路２１ｂ，２１ｃ及び第２誘導路２１ｄは、奥側から手前側にその幅が次第に広がる弓形形状に形成されている。
【００２９】
第１ステージ２０は、第１滞留面２０ａの前縁と第２滞留面２１ａの後縁とに連なり、それぞれの滞留面２０ａ，２１ａと略垂直な前面壁２３を備えている。前面壁２３の上端部は障壁２３ａとなっている。すなわち、前面壁２３は障壁２３ａを垂直下方に延ばすことによって形成されている。障壁２３ａは第１滞留面２０ａの前縁から上方に突出している。また、第２滞留面２１ａの前方には前面壁２４が形成されている。前面壁２４の上端部は障壁２４ａとなっている。障壁２４ａは第２滞留面２１ａの前縁から上方に突出している。障壁２３ａは第１滞留面２０ａの誘導路２０ｂ，２０ｃ，２０ｄの前縁で途切れ、障壁２４ａは第２滞留面２１ａの誘導路２１ｂ，２１ｃ，２１ｄの前縁で途切れている。このため、第１滞留面２０ａ及び第２滞留面２１ａ上のパチンコ球は第１滞留面２０ａ及び第２滞留面２１ａの誘導路の前縁以外の前縁から落下することが障壁２３ａ，２４ａによって阻まれ、これにより、第１滞留面２０ａ及び第２滞留面２１ａ上のパチンコ球が各誘導路に流下しやすくなっている。
【００３０】
前面壁２３の第２誘導路２１ｄと対峙する位置には球入口２５が形成されている。また、前面壁２４には、始動入賞口１３の上方に位置するように球出口２６が形成されている。球入口２５と球出口２６とはステージ１７内部に形成された球通路２７によって連通している。このため、球入口２５に入ったパチンコ球は球通路２７を通って球出口２６から排出される。
【００３１】
また、前面壁２３には、第１誘導路２０ｂ，２０ｃ及び第２誘導路２０ｄのそれぞれの下方に位置するように３つの開口２８ａ〜２８ｃが形成されている。開口２８ａは第１誘導路２０ｂの下方、開口２８ｂは第２誘導路２０ｄの下方、開口２８ｃは第１誘導路２０ｃの下方にそれぞれ配置されている。
【００３２】
図３に示すように、開口２８ａ，２８ｃはそれぞれ第１扉（扉）２９，３０によって開閉される。第１扉２９，３０はそれぞれに対応する開口２８ａ，２８ｃの奥で揺動自在に取り付けられている。第１扉２９，３０は、第１誘導路２０ｂ，２０ｃの前縁を上縁が遮る閉じ位置（図２に示す位置）と第１誘導路２０ｂ，２０ｃの前縁を上縁が開放する開き位置（図３に示す位置）との間で揺動自在になっている。
【００３３】
また、開口２８ｂは、略水平な軸を中心に揺動自在に軸支された第２扉３１によって開閉される。第２扉３１も第１扉２９，３０と同様に、第２誘導路２０ｄの前縁を上縁が遮る閉じ位置（図２に示す位置）と第２誘導路２０ｄの前縁を上縁が開放する開き位置（図３に示す位置）との間で揺動自在になっている。
【００３４】
図４に示すように、第１誘導路２０ｂの前縁から落下したパチンコ球は、落下経路変更装置（落下経路変更手段）３２によってその落下経路に変化が与えられる。なお、第１誘導路２０ｃの前縁から落下したパチンコ球も落下経路変更装置（図示せず）によって、その落下経路に変化が与えられるが、この落下経路変更装置は落下経路変更装置３２と同一の構成（左右対称）であるため、落下経路変更装置３２を例に挙げて説明し、詳しい説明は省略する。また、第１誘導路２０ｂに対応する落下経路変更装置３２はパチンコ球をステージ１７に向かって左方に案内し、第１誘導路２０ｃに対応する落下変更装置はパチンコ球をステージ１７に向かって右方に案内する。
【００３５】
落下経路変更装置３２は、第１扉２９、案内板４０、付勢レバー（付勢部材）４１を備えている。
【００３６】
第１扉２９は、開口２８ａを開閉する開閉板４２、開閉板４２の側端面から突出した略円筒状の軸受け４３、軸受け４３の側方で垂直下方に突出した受動ロッド４４を備えている。
【００３７】
開閉板４２は矩形の横長な薄板からなる。開閉板４２は、第１扉２９が閉じ位置に位置するときに第１誘導路２０ｂの前縁を上縁が遮るようにその高さ方向の長さが設定されている。軸受け４３の中空部分には支持軸４５が挿通されている。支持軸４５は、その軸芯４５ａが略垂直になるようにステージ１７に軸支されている。これにより、第１扉２９は、開閉板４２が第１誘導路２０ｂの前縁を上縁が遮る方向（図中矢印Ａ方向）と開閉板４２が第１誘導路２０ｂの前縁を上縁が開放する方向（図中矢印Ｂ方向）とに揺動する。
【００３８】
受動ロッド４４は円柱形状に形成されている。受動ロッド４４は支持軸４５の軸芯４５ａに関して開閉板４２とは逆側で垂直下方に延びている。受動ロッド４４は、第１扉２９が閉じ位置で保持されるように付勢レバー４１によって付勢されている。
【００３９】
案内板４０は開閉板４２の背面に一体に形成されている。案内板４０は、第１扉２９が開き位置に移動したときにパチンコ球の落下経路に進入して第１誘導路２０ｂの前縁から落下したパチンコ球をステージ１７の正面に向かって左方側に案内する。案内板４０の上面は、軸芯４５ａから離れるにしたがって高さが漸減する傾斜面４０ａとなっている。このため、傾斜面４０ａは、第１扉２９の開き位置への移動にともなってその高さが漸減するように開口２８ａから突出する。傾斜面４０ａは、その面積がパチンコ球を流下させることが可能な大きさになっている。傾斜面４０ａは、開閉板４２の支持軸４５とは逆側の端縁から支持軸４５側に向けて弧を描く扇形に形成されている。そして、傾斜面４０ａでは、その角に向けて高さが漸減するように傾斜がつけられている。
【００４０】
付勢レバー４１は、受動ロッド４４の下方に位置するようにステージ１７に取り付けられている。付勢レバー４１は、フック５１、軸受け５２、重り取付部５３を備えている。軸受け５２は一端が閉じられた円筒形状に形成されている。軸受け５２は、ステージ１７に形成された支持軸５４に挿通されている。支持軸５４の軸芯５５は、ステージ１７の前後方向と略平行で略水平になっている。付勢レバー４１は支持軸５４を中心に図中矢印Ｃ方向で揺動自在になっている。
【００４１】
フック５１は弓形に形成されており、その両端面は円弧状に面取りされている。フック５１の上端面５１ａは受動ロッド４４の側面に当接する。重り取付部５３は略円筒形状に形成されており、内部の中空部分には円柱形状の重り５６が挿入されている。これにより、付勢レバー４１は、その自重によって重り取付部５３側が下方に位置するとともに、フック５１の上端面５１ａが受動ロッド４４の側面に当接した状態となる。そして、重り５６の重さによって生じる付勢レバー４１の付勢力によって第１扉２９が閉じ位置で保持される。また、重り５６の重さは、第１誘導路２０ｂを流下するパチンコ球によって開閉板４２の上縁が押されたときに第１扉２９が閉じ位置から開き位置に回動することを許容する重さに設定されている。このため、第１扉２９がパチンコ球によって押されていない状態では、第１扉２９は閉じ位置で保持される。
【００４２】
なお、傾斜面４０ａの面積及び第１扉２９が開き位置に位置するときの開閉板４２の背面と第１誘導路２０ｂの前縁との距離はパチンコ球１個以上２個未満にすることが好ましい。これにより、傾斜面４０ａに２個以上のパチンコ球が落下して開閉板４２の背面と第１誘導路２０ｂの前縁との間にパチンコ球が詰まることを防止できる。また、第１誘導路２０ｂの最大幅はパチンコ球１個以上２個未満が好ましい。これにより、第１誘導路２０ｂから複数のパチンコ球が一度に落下して、傾斜面４０ａで２個以上のパチンコ球を受けてしまい、開閉板４２の背面と第１誘導路２０ｂの前縁との間にパチンコ球が詰まることを防止できる。
【００４３】
図５に示すように、第２落下変更装置（第２落下経路変更手段）６０は、第２扉３１、案内板６１、重り６２を備えている。
【００４４】
第２扉３１は、円筒状の軸受け６３及び軸受け６３の外周面から上方に突出した開閉板６４を備えている。軸受け６３は、ステージ１７に設けられた支持軸６５に取り付けられている。支持軸６５の軸芯６５ａは水平になっている。
【００４５】
開閉板６４は縦長な矩形状の板からなる。開閉板６４は、第２扉３１が閉じ位置に位置するときに第１誘導路２０ｂの前縁を上縁が遮るようにその高さ方向の長さが設定されている。第２扉３１は、開閉板６４が第２誘導路２０ｄの前縁を上縁が遮る方向（図中矢印Ｅ方向）と開閉板６４が第２誘導路２０ｄの前縁を上縁が開放する方向（図中矢印Ｆ方向）とに揺動する。
【００４６】
重り６２は扇形の板からなり、その一端面が開閉板６４の前面と略面一となるように軸受け６３の外周面から開閉板６４と反対方向に突出している。重り６２は支持軸６５を支点に揺動する。そして、第２扉３１は、重り６２の重さによって生じる付勢力によって第２扉３１が閉じ位置で保持される。また、重り６２の重さは、第２誘導路２０ｄを流下するパチンコ球によって開閉板６４の上縁が押されたときに第２扉３１が閉じ位置から開き位置に回動することを許容する重さに設定されている。このため、第２扉３１がパチンコ球によって押されていない状態では、第２扉３１は閉じ位置で保持される。
【００４７】
なお、第２扉３１が開き位置に位置するときに第２滞留面２１ａをパチンコ球が転動することが可能、すなわち、第２扉３１が開き位置に位置するときに開閉板６４と第２滞留面２１ａとの距離がパチンコ球１個分より大きくなるように、開閉板６４と第２滞留面２１ａとの相対的な距離が設定されている。
【００４８】
案内板６１は開閉板６４の背面に一体に形成されている。案内板６１は矩形状の板からなり、その長手方向が開閉板６４から突出している。案内板６１は、その先端が下方を向くように湾曲しており、さらに、先端が下方を向くように傾いた状態で開閉板６４の背面から突出している。このため、案内板６１の上面は根元から先端にかけて下方に向けて傾いた傾斜面６１ａとなっている。傾斜面６１ａは、その面積がパチンコ球を流下させることが可能な大きさになっている。
【００４９】
傾斜面６１ａの両側端部及び開閉板６４の背面の両側端部と開閉板６４の背面の上端部とには落下方向規制壁６６が設けられている。落下方向規制壁６６は、パチンコ球の落下方向を案内板６１の突出方向Ｇに規制する。このため、傾斜面６２ａに落下したパチンコ球は、落下方向規制壁６６によって開口２８ｂの奥に誘導される。開口２８ｂの奥は球通路２７に連通しており、傾斜面６２ａに落下したパチンコ球は球通路２７に入る。
【００５０】
なお、傾斜面６１ａの面積及び開閉板６４の背面と第２誘導路２０ｄの前縁との第２扉３１が開き位置に位置するときの距離はパチンコ球１個以上２個未満にすることが好ましい。これにより、傾斜面６１ａに２個以上のパチンコ球が落下して開閉板６４の背面と第２誘導路２０ｄの前縁との間にパチンコ球が詰まることを防止できる。また、第２誘導路２０ｄの最大幅はパチンコ球１個以上２個未満が好ましい。これにより、第２誘導路２０ｄから複数のパチンコ球が一度に落下して、傾斜面６１ａで２個以上のパチンコ球を受けてしまい、開閉板６４の背面と第２誘導路２０ｄの前縁との間にパチンコ球が詰まることを防止できる。
【００５１】
次に、上記のように構成されたパチンコ機の作用について説明する。なお、第１扉２９と第１扉３０とは同一の構成であるため、第１扉２９を例に挙げて説明する。パチンコ球によって押されていない状態では、第１扉２９は付勢レバー４１の付勢によって閉じ位置で保持されている。また、第２扉３１は重り６２の付勢によって閉じ位置で保持されている。遊技領域に打ち出されたパチンコ球が第１滞留面２０ａに落下すると、落下したパチンコ球は第１滞留面２０ａで転動しながら滞留する。
【００５２】
図６（Ａ）に示すように、第１滞留面２０ａ上のパチンコ球が第１誘導路２０ｂに流下すると、このパチンコ球は第１誘導路２０ｂの傾斜に沿って前方に流下する。図６（Ｂ）に示すように、第１誘導路２０ｂを流下するパチンコ球は第１扉２９を押圧する。パチンコ球によって押された第１扉２９は開き位置に向けて揺動を開始する。図６（Ｃ）に示すように、第１扉２９が開き位置まで揺動すると第１誘導路２０ｂの前縁から落下したパチンコ球が案内板４０の傾斜面４０ａ上に落下する。
【００５３】
図７（Ａ）に示すように、傾斜面４０ａ上のパチンコ球は傾斜に沿って流下した後に左方に落下する。図７（Ｂ）に示すように、傾斜面４０ａからパチンコ球が落下すると第１扉２９は付勢レバー４１の付勢によって閉じ位置に向けて揺動を開始する。図７（Ｃ）に示すように、付勢レバー４１によって付勢された第１扉２９は再び閉じ位置で保持される。なお、第１扉３０は第１扉２９と逆方向に揺動し、第１誘導路２０ｃの前縁から落下したパチンコ球をステージ１７の正面に向かって右側に案内する。
【００５４】
傾斜面４０ａから落下したパチンコ球は第２滞留面２１ａ上に落下する。第２滞留面２１ａに落下したパチンコ球は第２滞留面２１ａから落下するか、あるいは、球入口２５から球通路２７に入る。球通路２７に入ったパチンコ球は球出口２６から排出される。球出口２６から排出されたパチンコ球は始動入賞口１３に入賞しやすくなる。
【００５５】
また、図８（Ａ）に示すように、第１滞留面２０ａ上のパチンコ球が第２誘導路２０ｄに流下すると、このパチンコ球は第２誘導路２０ｄの傾斜に沿って前方に流下する。図８（Ｂ）に示すように、第２誘導路２０ｄを流下するパチンコ球は第２扉３１を押圧する。パチンコ球によって押された第２扉３１は開き位置に向けて揺動を開始する。図８（Ｃ）に示すように、第２扉３１が開き位置まで揺動すると第２誘導路２０ｄの前縁から落下したパチンコ球が案内板６１の傾斜面６１ａ上に落下する。傾斜面６１ａ上のパチンコ球は傾斜に沿って流下し、球通路２７に入る。傾斜面６１ａからパチンコ球が落下すると第２扉３１は重り６２の付勢によって閉じ位置に向けて揺動を開始する。重り６２によって付勢された第２扉３１は再び閉じ位置で保持される。
【００５６】
上記実施形態では、落下方向変更手段として、第１扉２９を有する落下経路変更装置３２と第１扉３０を有する落下方向変更装置とを設けたが、落下変更装置の数は適宜数にしてよい。また、案内板には必ずしも傾斜面を設けなくてもよい。
【００５７】
上記実施形態では、ステージ１７を２段構成にしたが、ステージの段数は適宜の段数にしてよく、ステージの形状も滞留面上のパチンコ球を手前に落下させることができれば適宜の形状にしてよい。
【産業上の利用可能性】
【００５８】
本発明は、パチンコ機に限らず、遊技球を用いて遊技が行われる他の遊技機にも適用できる。
【図面の簡単な説明】
【００５９】
【図１】本発明のパチンコ機の斜視図である。
【図２】第１扉及び第２扉が閉じ位置に位置する状態を示すステージの斜視図である。
【図３】第１扉及び第２扉が開き位置に位置する状態を示すステージの斜視図である。
【図４】落下経路変更装置の斜視図である。
【図５】第２落下経路変更装置の斜視図である。
【図６】第１扉が閉じ位置から開き位置に向けて揺動する状態を示すステージの背面側からの斜視図である。
【図７】第１扉が開き位置から閉じ位置に向けて揺動する状態を示すステージの後方からの斜視図である。
【図８】第２扉が閉じ位置から開き位置に向けて揺動する状態を示すステージの前方からの斜視図である。
【符号の説明】
【００６０】
１０  パチンコ機
１７  ステージ
２０  第１ステージ
２０ａ  第１滞留面（滞留面）
２０ｂ，２０ｃ  第１誘導路（誘導路）
２０ｄ  第２誘導路（第２の誘導路）
２１  第２ステージ
２１ａ  第２滞留面
２９，３０  第１扉（扉）
３１  第２扉
３２  落下経路変更装置（落下経路変更手段）
４０  案内板
４０ａ  傾斜面
４１付勢レバー（付勢部材）
６０  第２落下変更装置（第２落下経路変更手段）
【図１】
2006167290.tif 000003
【図２】
2006167290.tif 000004
【図３】
2006167290.tif 000005
【図４】
2006167290.tif 000006
【図５】
2006167290.tif 000007
【図６】
2006167290.tif 000008
【図７】
2006167290.tif 000009
【図８】
2006167290.tif 000010